(57)【要約】【課題】  通気性を図るとともに人への感触性を高め、さらには目的に応じて使い方を変更できる枕を提供する。【解決手段】  合成樹脂からなる連続線条体を曲がりくねらせた多数の線条体ループを形成し、線条体ループが相互に接合された３次元立体構造網状体１１と、３次元立体構造網状体と重ねられる平板状のクッション材１４と、それらを収納するカバー１６とを備えており、カバー１６は上下の面の生地を、ニット生地１６ａとメッシュ生地１６ｂとに異ならせるものである。【選択図】図２
2015228941.tif 000002
【特許請求の範囲】
【請求項１】
合成樹脂を成形して得られる３次元立体構造網状体と、前記３次元立体構造網状体と重ねられるクッション材と、それらを収納するカバーと、を備えた枕。 
【請求項２】
前記３次元立体構造網状体は、直方体形状の３次元立体構造網状体の一つの平面側から熱圧縮加工して山形に成形したものであることを特徴とする請求項１に記載の枕。
【請求項３】
前記クッション材が油膜除去ウレタンフォームであることを特徴とする請求項１又は２に記載の枕。
【請求項４】
前記３次元立体構造網状体の厚さが前記クッション材の厚さよりも厚いことを特徴とする請求項１〜３のいずれかに記載の枕
【請求項５】
前記カバーは、人の頭と接する面側の生地はニット生地で、他面側の生地はメッシュ生地であることを特徴とする請求項１〜４のいずれかに記載の枕
【発明の詳細な説明】
【技術分野】
【０００１】
本発明は、枕に関し、特に、通気性、感触性に優れ、かつ目的に合せて使用方法を変更できる枕に関する。
【背景技術】
【０００２】
快適な睡眠を提供する枕として、種々形状のものが、また使用する素材としては、そば殻、低反発ウレタン素材、ポリエステル綿、ビーズ、パイプなどが提案されているが、これら素材では基本的に水洗いできないものである。また通気性、吸湿性を確保し、水洗い可能な弾性合成樹脂を用いた枕が開発されているが、枕として通気性、吸湿性を維持しつつ、ふわふわとしたクッション性を兼ね備えたものがないのが実情である。
【０００３】
特許文献１に示すものでは、ポリウレタンフォームの枕本体の上に、そば殻、檜チップ、合成樹脂パイプ等からなる通気性部を、また通気性部の両側に横に合成樹脂ビーズからなる緩衝部を備えたカバー材を有するため、通気性に優れて枕の温度上昇やムレを抑制できることが、開示されている。
【０００４】
また特許文献２に示すものは、硬めのウレタンフォームの上に柔めのウレタンフォームを重ねた２層のウレタンフォーム構造とし、圧力と変形量との関係がヒストリシス曲線を形成することで、温度による弾性変化が緩和された低反発枕が提案されている。
【先行技術文献】
【特許文献】
【０００５】
【特許文献１】特開２００７−３３０３７７号公報
【特許文献２】特開２００２−１４２９４４号公報
【発明の概要】
【発明が解決しようとする課題】
【０００６】
特許文献１に示される枕にあっては、ポリウレタンフォームに起因する通気性の悪さを新たに設けた通気性部でカバーするものであるが、上側に設ける部材が２種類必要となり、材料管理や製造面でも手間煩わしいことになる。また特許文献２に示される枕にあっては、ウレタンフォームをベースにしており、基本的に柔い感触・寝心地が得られるものの、湿気やムレ等はなかなか解消できない課題を残したままである。 
【０００７】
本発明の目的は、合成樹脂からなる連続線条体を曲がりくねらせた多数の線条体ループを形成し、前記線条体ループが相互に接合された３次元立体構造網状体を枕のベースにして、通気性を図るとともに人への感触性を高め、さらには季節や目的に応じて使い方を変更できる枕を提供することにある。
【課題を解決するための手段】
【０００８】
前記目的を達成するため、請求項１に係る発明の枕は、合成樹脂を成形して得られる３次元立体構造網状体と、前記３次元立体構造網状体と重ねられるクッション材と、それらを収納するカバーと、を備えたことを特徴とする。
【０００９】
また、請求項２に係る発明の枕は、前記３次元立体構造網状体は、直方体形状の３次元立体構造網状体の一つの平面側から熱圧縮加工して山形に成形したものであることを特徴とする。
【００１０】
また、請求項３に係る発明の枕は、前記クッション材が油膜除去ウレタンフォームであることを特徴とする。
【００１１】
また、請求項４に係る発明の枕は、前記３次元立体構造網状体の厚さがクッション材の厚さよりも厚いことを特徴とする。
【００１２】
また、請求項５に係る発明の枕は、前記カバーは、人の頭と接する面側の生地はニット生地で、他面側の生地はメッシュ生地であることを特徴とする。
【発明の効果】
【００１３】
請求項１の発明によれば、前記３次元立体構造網状体自体が有する通気性や耐久性を確保しつつ、当該３次元立体構造網状体の原材料樹脂がもつ硬さを前記クッション材にて和らげることができるため、通気性や耐久性と人への感触性との両特性を確保できる。それにより、快い睡眠を得ることができる。
【００１４】
請求項２の発明によれば、前記３次元立体構造網状体は直方体形状から、一つの平面側から熱圧縮加工されるため、一面は平面を維持できるため、クッション材との重ね合わせが容易となり製造面でも簡単である。また、カバーへの装着もスムーズに行うことができる。
【００１５】
請求項３の発明によれば、前記クッション材が油膜除去ウレタンフォームであるため、従来のウレタンフォームなどに比べ水分、湿気がウレタンフォーム内に滞留することがなく、快い感触を与えて衛生面でも清潔である。
【００１６】
請求項４の発明によれば、前記クッション材の厚さは前記３次元立体構造網状体の厚さよりも薄いことから、ムレを起こすことなく、前記３次元立体構造網状体が持つ優れた効果を損なうことがない。
【００１７】
請求項５の発明によれば、前記カバーは、人の頭と接する面の上下で生地が異なるため、カバー内の材料との組み合わせ、すなわち前記３次元立体構造網状体とメッシュ生地とを、前記クッション材とニット生地とを組み合わせることで、感触性を優先するか通気性を優先するかを使い分けることができる。
【図面の簡単な説明】
【００１８】
【図１】本発明の一実施の形態にかかる枕の斜視図である。
【図２】図１のＸ−Ｘ線に沿う断面図である。
【図３】図１のＸ−Ｘ線に沿う他の断面図である。
【図４】図３に示す枕の内容物の斜視図である。
【図５】３次元立体構造網状体の製造摸式図である。
【図６】本発明の他の実施の形態にかかる枕の斜視図である。
【図７】本発明の他の実施の形態にかかる枕の斜視図である。
【図８】図７のＹ−Ｙ線に沿う断面図である。
【図９】図７に示す枕の内容物の斜視図である。
【発明を実施するための形態】
【００１９】
以下、本発明の実施の形態について、図面を参照して説明する。
【００２０】
（第一の実施例）
図１は、本発明の一実施の形態にかかる枕の斜視図で、図２は図１のＸ−Ｘ線に沿う断面
図、図３は図１のＸ−Ｘ線に沿う他の断面図、図４は図３の内容物の斜視図、図５は３次元立体構造網状体の製造摸式図である。
【００２１】
枕１０は、カバー１６の中に３次元立体構造網状体１１もしくは３次元立体構造網状体１２と、クッション材１４とが重ね合わせて収容されている。
【００２２】
３次元立体構造網状体１１は、ポリエステル、ポリエチレン、エチレン酢酸ビニルコポリマー等を原材料とする樹脂からなる線条体（フィラメント）を複数のオリフィスから融点より高い温度の雰囲気中に吐出し、曲がりくねらせてランダムループに形成する。それらランダムループが互いに接触した交絡部分は融着するが、その状態からすぐに水中などで冷却することにより所望厚さの所定の弾性を有する３次元立体構造網状体１１を得ることができる。その際、吐出装置のオリフィスの形状により種々の断面形状を作製できる。オリフィスの形状としてワイヤー状の中実タイプと、パイプ状の中空タイプとを例示することができるが、硬さを求める人には、中実タイプのものを使用することになる。この３次元立体構造網状体１１として、特に限定されるものではないが、ブレスエアー（東洋紡株式会社、登録商標）を例示することができる。
【００２３】
また、３次元立体構造網状体１１は、製造装置の関係から連続する平板状として流れ出てくるが、それを枕サイズの寸法に裁断加工されてから使用される。
【００２４】
さらに、枕として使用しやすくするため、図３に示すように３次元立体構造網状体１１を熱圧縮して山形の円弧状に成形した３次元立体構造網状体１２を用いることが好ましい。図４は、内容物である３次元立体構造網状体１２とクッション体１４の斜視図を示しているが、３次元立体構造網状体１２の円弧状頂上部は下面側にあるため、３次元立体構造網状体１２はクッション体１４より薄く見えている。
【００２５】
なお、実際には図５に示すような上下の金型２０、２２の間に直方体形状の３次元立体構造網状体１１を挟み込み、端部を高温にして圧力をかけることで製造されるが、用いる金型形状により複数の山形に成形することもできる。
【００２６】
また平板状のクッション材１４としては、ウレタンフォームや気泡緩衝材などを用いることができるが、油膜除去ウレタンフォーム、一例としてムマック（アキレス株式会社、登録商標）を用いることで、通気性を格段にアップさせることができる。
【００２７】
なお、図２に示すように使用する３次元立体構造網状体１１の高さｈ１をクッション材１４の高さｈ２よりも高くすることで、３次元立体構造網状体１１のもつ高い通気性特性を維持させることができる。
【００２８】
カバー１６は、全表面をポリエステル繊維などで作製することができるが、本例では人の頭に接する上下の面で生地を変更している。具体的には、片面側はニット生地１６ａ、他面側はメッシュ生地１６ｂとしている。本実施例では、クッション材１４が上側にあり感触性を優先させている。
【００２９】
またカバー１６の側面には挿入口１８が設けられ、３次元立体構造網状体１１もしくは３次元立体構造網状体１１とクッション材１４とを出し入れできる。本例ではファスナー形式で示している。
（第二の実施例）
【００３０】
図６は、本発明の他の実施の形態に係る枕の斜視図であり、ニット生地１６ａの部分を図６に示すように、中綿を有する部分（領域１６ａ１〜１６ａ３）を新たに作製して、より枕として安定性を持たすこともできる。具体的には、ニット生地１６ａの領域１６ａ１〜１６ａ３の内面に袋状部分を設けており、そこに中綿などを挿入し膨らみをもたしている。首部が領域１６ａ３に頭部が領域１６ａ１と領域１６ａ２の間にくることで、安定して保持できるようになる。
【００３１】
（第三の実施例）
図７は、本発明のさらに別の実施の形態にかかる枕の斜視図で、図８は図７のＹ−Ｙ線に沿う断面図、図９は図７の内容物の斜視図であるが、図３に示す第一の実施例における使い方を上下面で逆にしたものである。
【００３２】
本実施例では、３次元立体構造網状体１２が上側にある場合を示し、３次元立体構造網状体１２とメッシュ生地１６ｂとの組み合わせにより、通気性を優先させるものであり、夏場使用や汗かきの人などに適している。３次元立体構造網状体１２、クッション材１４及びカバー１６の構成は第一の実施例と同じであるから説明を省略する。
【産業上の利用可能性】
【００３３】
本発明は、前記実施の形態に限定されるものではなく、本発明の要旨の範囲内において
種々の形態に変形可能である。例えば、３次元立体構造網状体１２と接するカバー１６をニット生地１６ａ側にすることやクッション材１４と接するカバー１６をメッシュ生地１６ｂ側にすること、さらには挿入口１８の形式をボタン式や面ファスナー式にすることもできる。
【符号の説明】
【００３４】
１０    枕
１１、１２    ３次元立体構造網状体
１２ａ    頂点部
１４    クッション材
１６    カバー
１６ａ    ニット生地
１６ｂ    メッシュ生地
１８    挿入口
２０    上部金型
２２    下部金型
【図１】
2015228941.tif 000003
【図２】
2015228941.tif 000004
【図３】
2015228941.tif 000005
【図４】
2015228941.tif 000006
【図５】
2015228941.tif 000007
【図６】
2015228941.tif 000008
【図７】
2015228941.tif 000009
【図８】
2015228941.tif 000010
【図９】
2015228941.tif 000011